(57)【要約】【課題】電線の径寸法によらず余長のバンド部を発生させないようにし、バンドロック部におけるバンド部の保持力を向上させる。【解決手段】本発明の電線保持部材１０は、電線Ｗ１に巻き付けられるバンド部３０と、電線Ｗ１に巻き付けられたバンド部３０の両端部３０Ａ，３０Ｂを固定するバンドロック部４０とが別体で構成され、バンドロック部４０は、バンド部３０の両端部３０Ａ，３０Ｂがそれぞれ挿入される一対のバンド挿入孔４１，４１を有する本体部４２と、バンド部３０の両端部３０Ａ，３０Ｂをそれぞれ抜止状態に保持する一対のロック片４５，４５とを備えて構成され、バンド部３０は、電線Ｗ１と接触する側の面に係止突起３２を有している一方、ロック片４５は撓み可能であって、係止突起３２に係止可能な被係止突起４５Ａを有しており、この被係止部４５Ａは、本体部４２の中央部からバンド挿入孔４１側に突出している。【選択図】図１
2012222986.tif 000002
【特許請求の範囲】
【請求項１】
電線に巻き付けられるバンド部と、
前記電線に巻き付けられた前記バンド部の両端部を固定するバンドロック部とが別体で構成され、
前記バンドロック部は、前記バンド部の両端部がそれぞれ挿入される一対のバンド挿入孔を有する本体部と、前記バンド部の両端部をそれぞれ抜止状態に保持する一対のロック片とを備えて構成され、
前記バンド部は、前記電線と接触する側の面に係止部を有している一方、
前記ロック片は撓み可能であって、前記係止部に係止可能な被係止部を有しており、この被係止部は、前記本体部の中央部から前記バンド挿入孔側に突出していることを特徴とする結束バンド。
【請求項２】
前記本体部の中央部には、両バンド挿入孔を仕切る仕切壁が設けられており、前記ロック片は、前記仕切壁に設けられていることを特徴とする請求項１に記載の結束バンド。
【請求項３】
前記バンド挿入孔の両端開口のうち前記電線側の開口縁部には、前記バンド部のうち前記電線の外面に沿う部分と前記バンド挿入孔に挿入された部分との角部に当接する当接部が設けられていることを特徴とする請求項１または請求項２に記載の結束バンド。
【請求項４】
前記ロック片は、前記本体部の中央部における前記電線に近い側から遠い側に向けて片持ち状に突出する形態をなしていることを特徴とする請求項１ないし請求項３のいずれか一項に記載の結束バンド。
【請求項５】
請求項１ないし請求項４のいずれか一項に記載の結束バンドと、
前記電線とともに前記バンド部によって結束される取付部を有し、基材に固定されるアンカー部とを備え、
前記取付部における前記電線との接触面には、前記電線に食い込んでその移動を規制する規制部が設けられていることを特徴とする電線保持部材。
【請求項６】
前記アンカー部は、前記基材に開口された取付孔に挿入される軸部と、この軸部の先端から片持ち状に延出されその延出端部に前記取付孔の孔縁部に当接可能な係止段部が設けられてなる脚部とを備えて構成され、前記係止段部は段差形状とされていることを特徴とする請求項５に記載の電線保持部材。
【発明の詳細な説明】
【技術分野】
【０００１】
本発明は、結束バンドおよび電線保持部材に関する。
【背景技術】
【０００２】
従来、電線を基材に固定する電線保持部材として、例えば下記特許文献１に記載のものが知られている。このものは、例えば車両のボディパネルに開口された取付孔に取り付けられるアンカー部と、電線に巻き付けられるバンド部と、このバンド部が電線に巻き付けられた状態に保持するバンドロック部とを一体に備えている。バンド部の長さは、大径の電線に対応できる程度の長さとされており、バンド部を小径の電線に巻き付けた場合には、バンドロック部から余長のバンド部が延びた状態となるため、この余長部分をニッパなどで切断する必要がある。
【０００３】
また、電線に巻き付けられたバンド部の両端部を固定するバンドロック部を備えた電線保持部材として、例えば下記特許文献２に記載のものが知られている。このバンドロック部は、バンド部の両端部がそれぞれ圧入状態で挿入される一対のバンド挿入孔を有し、両バンド挿入孔を仕切る仕切壁には、係止爪が設けられている。一方、バンド部における電線と接触する側の面には、係止爪に係止可能な係止溝が設けられている。
【０００４】
このような構成によると、バンド部の両端部が仕切壁で仕切られているため、電線が振られた場合であっても、バンドの両端部が互いに押し合って係止爪と係止溝の係止部分に悪影響を与えることを規制できる。また、バンド部がバンド挿入孔の開口付近で電線によって急激に曲げられることで発生したバンド部の反力をバンド挿入孔の開口縁部で受けることができるため、係止爪と係止溝の係止部分に悪影響を与えることを規制できる。
【先行技術文献】
【特許文献】
【０００５】
【特許文献１】特開２００１−３１１４０９号公報
【特許文献２】特開２００９−２１３２３２号公報
【発明の概要】
【発明が解決しようとする課題】
【０００６】
しかしながら、特許文献１および２のものでは、いずれも余長のバンド部が無駄になるため、材料のロス分が多くなる。また、特許文献２のものでは、バンド部の両端部が圧入状態でバンド挿入孔に挿入されるため、バンド挿入孔の内壁とバンド部の両端部との間にある程度のクリアランスを設定しておく必要がある。この結果、係止爪と係止溝の係り代は、前記クリアランスの分だけ小さくなり、バンドロック部によってバンド部の両端部を保持する保持力が低下してしまう。
【０００７】
本発明は上記のような事情に基づいて完成されたものであって、電線の径寸法によらず余長のバンド部を発生させないようにし、バンドロック部におけるバンド部の保持力を向上させることを目的とする。
【課題を解決するための手段】
【０００８】
本発明は、電線に巻き付けられるバンド部と、電線に巻き付けられたバンド部の両端部を固定するバンドロック部とが別体で構成され、バンドロック部は、バンド部の両端部がそれぞれ挿入される一対のバンド挿入孔を有する本体部と、バンド部の両端部をそれぞれ抜止状態に保持する一対のロック片とを備えて構成され、バンド部は、電線と接触する側の面に係止部を有している一方、ロック片は撓み可能であって、係止部に係止可能な被係止部を有しており、この被係止部は、本体部の中央部からバンド挿入孔側に突出している構成としたところに特徴を有する。
【０００９】
このような構成によると、バンド部とバンドロック部が別体で構成されているから、電線の径寸法に応じて必要なバンド部を予め用意しておき、このバンド部を電線に巻き付けた上で、バンド部の両端部をバンドロック部で固定することができる。したがって、余長のバンド部を発生させないようにすることができる。
【００１０】
また、ロック片が撓み可能に設けられているから、バンド部の端部をバンド挿入孔に挿入する際に、圧入する必要がなく、ロック片とこれに対向する本体部の内壁との間でクリアランスを生じさせることなく、バンド部のうちバンド挿入孔に挿入された端部を挟持することができる。すなわち、クリアランスが生じないため、係止部と被係止部の係り代が小さくなることはない。したがって、バンドロック部におけるバンド部の保持力を向上させることができる。
【００１１】
本発明の実施の態様として、以下の構成が好ましい。
本体部の中央部には、両バンド挿入孔を仕切る仕切壁が設けられており、ロック片は、仕切壁に設けられている構成としてもよい。
このような構成によると、両バンド挿入孔が仕切壁によって仕切られているため、バンド部の両端部が互いに当たり合うことを規制できる。したがって、バンド部の両端部のいずれか一方あるいは両方で係止部と被係止部の係り代が小さくなることはない。
【００１２】
バンド挿入孔の両端開口のうち電線側の開口縁部には、バンド部のうち電線の外面に沿う部分とバンド挿入孔に挿入された部分との角部に当接する当接部が設けられている構成としてもよい。
このような構成によると、例えば大径の電線を用いるなどして、バンド部がバンド挿入孔の開口付近で電線によって急激に曲げられた場合であっても、バンド部のうち電線の外面に沿う部分とバンド挿入孔に挿入された部分との角部を当接部に接触させることにより、電線によって曲げられることで発生したバンド部の反力を当接部で受けることができる。このため、バンド部の反力が係止部と被係止部の係止部分に直接作用することを回避できる。したがって、バンドロック部におけるバンド部の保持力を安定させることができる。
【００１３】
ロック片は、本体部の中央部における電線に近い側から遠い側に向けて片持ち状に突出する形態をなしている構成としてもよい。
このような構成によると、バンド挿入孔の両端開口のうち電線に近い側の開口からバンド部の端部を挿入することに伴ってロック片が撓み変形するため、バンド部を挿入しやすくなる。
【００１４】
また、本発明は、上記の結束バンドと、電線とともにバンド部によって結束される取付部を有し、基材に固定されるアンカー部とを備え、取付部における電線との接触面には、電線に食い込んでその移動を規制する規制部が設けられていることを特徴とする電線保持部材としてもよい。
このような構成によると、バンド部の締め付けに伴って規制部を電線に食い込ませることにより、電線がアンカー部に対して滑ることを規制できる。
【００１５】
アンカー部は、基材に開口された取付孔に挿入される軸部と、この軸部の先端から片持ち状に延出されその延出端部に取付孔の孔縁部に当接可能な係止段部が設けられてなる脚部とを備えて構成され、係止段部は段差形状とされている構成としてもよい。
このような構成によると、取付孔の孔縁部に当接させる複数の段差を係止段部に設けることができる。したがって、基材の板厚に合わせて、取付孔の孔縁部に当接させるのに適切な段差を選択することができるため、脚部の付け根に応力が集中することを回避できる。
【発明の効果】
【００１６】
本発明によれば、電線の径寸法によらず余長のバンド部を発生させないようにし、バンドロック部におけるバンド部の保持力を向上させることができる。
【図面の簡単な説明】
【００１７】
【図１】小径の電線を保持した状態を示す電線保持部材
【図２】大径の電線を保持した状態を示す電線保持部材
【図３】アンカー部の正面図
【図４】アンカー部の右側面図
【図５】アンカー部の底面図
【図６】図３におけるＡ−Ａ線断面図
【図７】図３におけるＣ−Ｃ線断面図
【図８】図４におけるＢ−Ｂ線断面図
【図９】バンドロック部の底面図
【図１０】バンドロック部の右側面図
【図１１】図９におけるＤ−Ｄ線断面図
【図１２】図１０におけるＥ−Ｅ線断面図
【発明を実施するための形態】
【００１８】
＜実施形態＞
本発明の実施形態を図１ないし図１２の図面を参照しながら説明する。本実施形態における電線保持部材１０は、図１に示すように、車両のボディパネル（本発明の「基材」の一例）Ｐに開口された取付孔Ｐ１に取り付けられるアンカー部２０と、電線Ｗ１に巻き付けられるバンド部３０と、バンド部３０の両端部３０Ａ，３０Ｂを固定するバンドロック部４０とが別体で構成され、これらの部材２０，３０，４０を互いに組み付けることで一体となっている。なお、図２は、図１の電線Ｗ１よりも大径の電線Ｗ２をボディパネルＰに保持した場合を例示しているものの、本実施形態の電線保持部材１０で保持できる電線の径寸法は、図１および図２に例示したものに限定されない。
【００１９】
アンカー部２０は合成樹脂製で、図３に示すように、取付孔Ｐ１に挿入される軸部２１と、軸部２１の上端における左右両側縁から下方に延びる一対の脚部２２，２２と、軸部２１の下端における左右両側縁から側方に向けてやや上方に延びる一対の付勢片２３，２３と、軸部２１の下端から下方に突出して設けられた取付部２４とを備えて構成されている。脚部２２は、軸部２１の上端から後方に向けて片持ち状に延びる形態をなし、軸部２１に対して接近する方向に撓み可能に設けられている。このため、軸部２１を取付孔Ｐ１に挿入すると、両脚部２２，２２が取付孔Ｐ１の孔壁に摺接しながら軸部２１側に撓み変形する。
【００２０】
脚部２２の下端部（延出端部）には、上下二段の係止段部２２Ａ，２２Ｂが設けられている。脚部２２の下端部は、下側の係止段部２２Ｂが上側の係止段部２２Ａよりも下方に位置するとともに上側の係止段部２２Ａよりも軸部２１に近い側に位置することで、全体として階段状に形成されている。このように上下二段の係止段部２２Ａ，２２Ｂを設定した理由は、下側の係止段部２２Ｂで板厚の大きいボディパネルに固定しようとした場合に、脚部２２が上方に押し上げられるように作用する結果、脚部２２の付け根から軸部２１の上端部に亘って応力が集中することを回避するためである。したがって、板厚の大きいボディパネルにアンカー部２０を固定する場合には、上側の係止段部２２Ａを使用することにより、脚部２２の付け根から軸部２１の上端部に至る領域にかかる応力を緩和することができる。
【００２１】
ボディパネルの板厚が、上側の係止段部２２Ａと付勢片２３の上端との間における上下方向の間隔よりも大きい場合には、付勢片２３が下方に撓み変形しつつ、取付孔Ｐ１の孔縁部を上側係止段部２２Ａに対して下方から当接させることで板厚が大きくなった分を吸収できる。一方、ボディパネルの板厚が、上側の係止段部２２Ａと付勢片２３の上端との間における上下方向の間隔よりも小さい場合には、付勢片２３を下方に撓ませつつ取付孔Ｐ１の孔縁部を下側係止段部２２Ｂに対して下方から当接させることで板厚が小さくなった分を吸収できる。このように、板厚違いのボディパネルに対応して上下二段の係止段部２２Ａ，２２Ｂを適宜選択することにより、アンカー部２０を様々の板厚のボディパネルに取り付けることができるようになっている。
【００２２】
軸部２１の下部には、一対の回り止め部２１Ａ，２１Ａが設けられている。両回り止め部２１Ａ，２１Ａは、図７に示すように、軸部２１の軸心に関して対称に配置されている。具体的には、取付孔Ｐ１は左右方向に長い形状（長円形でも長方形でもよい）とされており、一方（図３における正面側）の回り止め部２１Ａが軸部２１から右側方に張り出す形態で設けられ、他方（図３における背面側）の回り止め部２１Ａが軸部２１から左側方に張り出す形態で設けられている。両回り止め部２１Ａ，２１Ａは、軸部２１が回転しようとした際に、取付孔Ｐ１の内周面に当接することで、軸部２１の回転を規制するようになっている。
【００２３】
取付部２４は、図３に示すように、下方に突出する略門形をなしており、取付部２４の内部空間は、図６および図８に示すように、バンド部３０を挿通させる貫通孔２４Ａとされている。貫通孔２４Ａは、横長の略方形とされており、バンド部３０よりも一回り大きめとされている。また、取付部２４の下面には、複数条の突条部２４Ｂが並設されている。各突条部２４Ｂは、電線Ｗ１，Ｗ２の軸方向と直交する方向に延びる形態をなしている。このため、電線Ｗ１，Ｗ２をバンド部３０で締め付けた際に、各突条部２４Ｂが電線Ｗ１，Ｗ２の表面に食い込むようになっている。これにより、電線Ｗ１，Ｗ２がアンカー部２０に対して軸方向に滑ることが規制されている。
【００２４】
バンド部３０は合成樹脂製で、図１に示すように、長尺の帯状とされている。バンド部３０における電線Ｗ１，Ｗ２に接触する側の面には、係止溝３１が凹設されている。係止溝３１には、複数の係止突起３２がバンド部３０の全長に亘って連設されている。本実施形態のバンド部３０は、長尺のバンド部がボビン（図示せず）に巻き取られた状態から、必要な長さ分だけを引き出して切り取ることによって形成されている。このようにすると、電線Ｗ１，Ｗ２の径寸法に合わせて必要な長さのバンド部３０だけを使用することができ、余長のバンド部３０が発生することを規制できる。
【００２５】
バンドロック部４０は合成樹脂製で、図９に示すように、一対のバンド挿入孔４１，４１を有する本体部４２を有している。本体部４２のうち両バンド挿入孔４１の両端開口が形成された底面は、方形状（正方形状でも長方形状でもよい）とされている。また、両バンド挿入孔４１，４１の両端開口は、方形状（正方形状でも長方形状でもよい）とされている。一方、本体部４２の側面は、図１０に示すように、方形状（底面側から天井面側に向けて次第に幅狭となる台形状でも長方形状でもよい）とされている。
【００２６】
本体部４２の内部には、両バンド挿入孔４１，４１を仕切る仕切壁４３が設けられている。この仕切壁４３は、図９に示すように、本体部４２の中央部に配置されている。両バンド挿入孔４１，４１は、仕切壁４３を中心として対称に配置されている。仕切壁４３のうち天井面側の端部（図１１における図示右側の端部）は、底面側よりも厚肉に形成されており、この厚肉部分には、成形時にヒケなどが発生することを防止すべく、肉抜き孔４３Ｂが設けられている。肉抜き孔４３Ｂの両側には、互いに対向する一対の対向壁４３Ａ，４３Ａが設けられている。
【００２７】
バンド挿入孔４１の両端開口のうち対向壁４３Ａ側の開口縁部には、当接部４４が周設されている。当接部４４は、すり鉢状をなしており、バンド挿入孔４１の外部に向かうほど開口が広がるように形成されている。当接部４４のうち仕切壁４３側の内壁の一部は、図１２に示すように、対向壁４３Ａによって構成されている。当接部４４は、図１に示すように、バンド部３０のうち電線Ｗ１の外周面に沿って曲げられた曲線部分とバンド挿入孔４１に挿入された直線部分との角部３３に内側から当接するようになっている。
【００２８】
仕切壁４３の両側には、一対のロック片４５，４５が設けられている。各ロック片４５，４５は、各バンド挿入孔４１，４１に収容されている。また、ロック片４５は、両対向壁４３Ａ，４３Ａの分岐開始位置から両対向壁４３Ａ，４３Ａの突出方向とは反対方向に片持ち状に突出する形態をなしている。ロック片４５の先端側には、一対の被係止突起４５Ａ，４５Ａがバンド挿入孔４１側に突出して設けられている。
【００２９】
バンド部３０は、バンド挿入孔４１に対して所定の嵌合状態を実現できるように構成されており、その具体的な構成を以下に述べる。両被係止突起４５Ａ，４５Ａのピッチは、バンド部３０において隣り合う両係止突起３２，３２のピッチと近似している。また、被係止突起４５Ａの突出高さは、係止突起３２の突出高さと近似している。さらに、ロック片４５とこれに対向する本体部４２の内壁との間隔は、ロック片４５の板厚と近似している。これにより、バンド部３０がバンド挿入孔４１に挿入されると、係止溝３１の両側壁間にロック片４５が嵌り込んで、バンド部３０がロック片４５と本体部４２の内壁との間に挟持されるとともに、両係止突起３２，３２が両被係止突起４５Ａ，４５Ａに対して全突出高さで接触して複数箇所（図示する場合は二箇所）で係止することにより、バンド部３０が抜止状態に保持される。
【００３０】
バンド部３０の角部３３で発生する樹脂の反力は、当接部４４で受けられており、ロック片４５に直接作用しないようになっている。ここで、両対向壁４３Ａ，４３Ａの間に肉抜き孔４３Ｂが形成されているため、両当接部４４，４４で受けた応力を緩和させることができる。このため、バンド部３０のうちバンド挿入孔４１に挿入された部分は、直線形状に保持される。したがって、両係止突起３２，３２と両被係止突起４５Ａ，４５Ａの係り代が小さくなるなどの不具合は発生しない。また、バンド部３０の両端部３０Ａ，３０Ｂは、仕切壁４３によって仕切られており、これによっても両端部３０Ａ，３０Ｂが当たり合うなどして両係止突起３２，３２と両被係止突起４５Ａ，４５Ａの係り代が小さくなるなどの不具合が発生しないようになっている。さらに、バンド部３０のうちバンド挿入孔４１に挿入された部分は、角部３３で発生する樹脂の反力によってロック片４５側に密着するため、両係止突起３２，３２と両被係止突起４５Ａ，４５Ａの係り代が小さくなることはない。
【００３１】
また、バンド部３０の両角部３３，３３は、両対向壁４３Ａ，４３Ａを介して離間して配置されているため、図２に示すように、電線Ｗ２と両対向壁４３Ａ，４３Ａとの間に形成される隙間Ｓを小さくすることができる。したがって、大径の電線Ｗ２を保持する場合であっても、隙間Ｓが小さくなることで安定して電線Ｗ２を保持することができる。また、隙間Ｓが小さくなることでバンドロック部４０と電線Ｗ２をより近づけて配置することができ、電線保持部材１０を低背化することができる。また、小径の電線Ｗ１を保持する場合には、隙間Ｓがほとんど発生しないため、電線Ｗ１のバンドロック部４０へのかみ込みが懸念されるものの、両対向壁４３Ａ，４３Ａによって電線Ｗ１のかみ込みが軽減されることになる。
【００３２】
本実施形態は以上のような構成であって、続いて電線保持部材１０の組付方法を説明する。以下においては小径の電線Ｗ１を保持する場合を代表として説明するものとする。まず、ボビンに巻かれた状態で連続するタイプのバンド部から、電線Ｗ１の径寸法に応じて必要な長さのバンド部３０を引き出して切断する。次に、両ロック片４５，４５の一方を治具などを用いて撓ませた状態にしておき、ロック片４５の先端側からバンド部３０の始端側の端部３０Ａを一方のバンド挿入孔４１に挿入していく。バンド部３０の終端側の端部３０Ｂが一方のバンド挿入孔４１に収容されたら、治具を解除してロック片４５を復帰させ、バンド部３０の終端側の端部３０Ｂにおいて両係止突起３２，３２と両被係止突起４５Ａ，４５Ａを係止させる。
【００３３】
引き続き、バンド部３０の始端側の端部３０Ａをアンカー部２０の貫通孔２４Ａに通すとともに、バンド部３０を電線Ｗ１に巻き付ける。このとき、バンド部３０の係止溝３１側を内側にして巻き付けるため、バンド部３０を巻き付ける際の反力が小さくて済む。そして、バンド部３０の始端側の端部３０Ａを他方のバンド挿入孔４１に対して対向壁４３Ａ側から挿入していく。すると、ロック片４５が仕切壁４３側に撓み変形することでバンド部３０の始端側の端部３０Ａが他方のバンド挿入孔４１に挿入される。バンド部３０による電線Ｗ１の締め付け力が規定値に達したところで、バンド部３０による電線Ｗ１の締め付けを停止する。これにより、バンド部３０の始端側の端部３０Ａにおいても両係止突起３２，３２と両被係止突起４５Ａ，４５Ａを係止させる。こうして、バンドロック部４０によってバンド部３０の両端部３０Ａ，３０Ｂをそれぞれ抜止状態に保持することで、電線保持部材１０の組付作業が完了する。最後に、アンカー部２０の軸部２１をボディパネルＰの取付孔Ｐ１に挿入し、アンカー部２０をボディパネルＰに対して取り付け固定する。
【００３４】
以上のように本実施形態によると、アンカー部２０とバンド部３０とバンドロック部４０とを組み合わせて使用する３ピース構造を採用したから、異なる形状のアンカー部２０を適宜選択することができ、また、余長のバンド部３０をなくして材料ロスを減らすことができる。また、バンドロック部４０の両バンド挿入孔４１，４１を仕切壁４３によって仕切ったから、バンド部３０の両端部３０Ａ，３０Ｂが互いに当たり合うことを規制できる。また、バンド挿入孔４１の開口縁部に当接部４４を設けてバンド部３０の反力を受けるようにしたから、バンド部３０の反力が直接ロック片４５に作用することを規制できる。また、アンカー部２０に突条部２４Ｂを設けたから、取付部２４に対して電線Ｗ１，Ｗ２が軸方向に滑ることを規制できる。
【００３５】
また、バンド挿入孔４１における仕切壁４３側にロック片４５を設けたから、角部３３においてバンド部３０が直線状に復帰しようとすることで、バンド部３０の両端部３０Ａ，３０Ｂが両ロック片４５，４５に密着するように作用する。したがって、両係止突起３２，３２と両被係止突起４５Ａ，４５Ａの係り代が小さくなることはない。さらに、バンド部３０の両端部３０Ａ，３０Ｂがロック片４５とこれに対向する本体部４２の内壁との間に挟持されているため、両係止突起３２，３２と両被係止突起４５Ａ，４５Ａの係り代が小さくなることはない。
【００３６】
また、両対向壁４３Ａ，４３Ａによって小径の電線Ｗ１のかみ込みを軽減することができる。また、ロック片４５を片持ち状に突出して設けたから、バンド部３０の始端側の端部３０Ａを対向壁４３Ａ側からバンド挿入孔４１に挿入しやすくなる。さらに、両対向壁４３Ａ，４３Ａの間に肉抜き孔４３Ｂを設けたから、両当接部４４，４４にかかる応力を緩和することができる。また、肉抜き孔４３Ｂを設けたことで両バンド挿入孔４１の間隔が広くなり、大径の電線Ｗ２とバンドロック部４０の間の隙間Ｓが小さくなり、電線Ｗ２を安定して保持することができるとともに電線保持部材１０を低背化することができる。
【００３７】
＜他の実施形態＞
本発明は上記記述及び図面によって説明した実施形態に限定されるものではなく、例えば次のような実施形態も本発明の技術的範囲に含まれる。
（１）上記実施形態で開示したアンカー部２０は一例であって、異なる形状や大きさのアンカー部を使用してもよい。
（２）上記実施形態では電線保持部材１０を例示しているものの、本発明によると、バンド部３０とバンドロック部４０とからなる結束バンドに適用してもよい。
【００３８】
（３）上記実施形態ではバンドロック部４０の天井面側（両対向壁４３Ａ，４３Ａ側）に電線Ｗ１，Ｗ２を配置しているものの、本発明によると、バンドロック部４０の底面側に電線Ｗ１，Ｗ２を配置してもよい。
【００３９】
（４）上記実施形態ではバンド部３０の角部３３を当接部４４に当接させているものの、本発明によると、バンド部３０に角部が形成されることなくバンド挿入孔４１からバンド部３０が当接部４４に接触することなく直線状に延びるように組み付けてもよい。
【００４０】
（５）上記実施形態ではロック片４５が片持ち状に突出して設けられているものの、本発明によると、ロック片を両持ち状に形成してもよい。
【００４１】
（６）上記実施形態ではアンカー部２０の貫通孔２４Ａにバンド部３０を挿通させているものの、本発明によると、孔である必要はなく、アンカー部２０から突片を突出させて形成し、この突片をテープで電線Ｗ１，Ｗ２とともに巻き付けるようにして固定してもよい。
【００４２】
（７）上記実施形態では上下二段の係止段部２２Ａ，２２Ｂを設けることで、板厚違いのボディパネルＰに対応可能としているものの、本発明によると、脚部の延出端部に段差形状を設けることなく、脚部を撓ませることで板厚の差を吸収してもよい。
【００４３】
（８）上記実施形態では本体部４２の内部に仕切壁４３を設けているものの、本発明によると、本体部の中央部に仕切壁を設けることなく、両ロック片のみを設けてもよい。
【符号の説明】
【００４４】
１０…電線保持部材
２０…アンカー部
２１…軸部
２２…脚部
２２Ａ…係止段部
２２Ｂ…係止段部
２４…取付部
２４Ｂ…突条部（規制部）
３０…バンド部
３０Ａ，３０Ｂ…端部
３２…係止突起（係止部）
３３…角部
４０…バンドロック部
４１…バンド挿入孔
４２…本体部
４３…仕切壁
４４…当接部
４５…ロック片
４５Ａ…被係止突起（被係止部）
Ｐ…ボディパネル（基材）
Ｐ１…取付孔
Ｗ１…（小径の）電線
Ｗ２…（大径の）電線
【図１】
2012222986.tif 000003
【図２】
2012222986.tif 000004
【図３】
2012222986.tif 000005
【図４】
2012222986.tif 000006
【図５】
2012222986.tif 000007
【図６】
2012222986.tif 000008
【図７】
2012222986.tif 000009
【図８】
2012222986.tif 000010
【図９】
2012222986.tif 000011
【図１０】
2012222986.tif 000012
【図１１】
2012222986.tif 000013
【図１２】
2012222986.tif 000014